【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
自動車の車体を構成する被取付部材の車室側に取り付けられる樹脂部品と、
この樹脂部品の前記被取付部材側に取り付けられ、フィルム、およびこのフィルムの前記樹脂部品側の面に印刷形成されたアンテナパターンを備えたアンテナ本体と
を具備したことを特徴とする自動車用アンテナ装置。
【請求項２】
被取付部材は、自動車の屋根を支えるピラーである
ことを特徴とする請求項１記載の自動車用アンテナ装置。
【請求項３】
アンテナ本体のフィルムは、樹脂部品に設けられたかしめ用突部を熱かしめして、この樹脂部品に取り付けられ、かつ、前記フィルムは、前記樹脂部品の素材樹脂の融点よりも２０度以上高い融点を有する素材樹脂にて形成された
ことを特徴とする請求項１または２記載の自動車用アンテナ装置。
【請求項４】
アンテナ本体には、フィルムの長手方向を略長手方向として、樹脂部品のかしめ用突部が挿通して移動可能に熱かしめされる長孔が形成された
ことを特徴とする請求項３記載の自動車用アンテナ装置。
【請求項５】
樹脂部品およびアンテナ本体に固定され、かつ、アンテナパターンに電気的に接続される接続端子を備え、
アンテナ本体には、前記接続端子を中心とする放射方向を略長手方向として、前記樹脂部品のかしめ用突部が挿通して移動可能に熱かしめされる長孔が形成された
ことを特徴とする請求項３記載の自動車用アンテナ装置。
【請求項６】
自動車の車体を構成する被取付部材の車室側に取り付けられる樹脂部品と、この樹脂部品の前記被取付部材側に取り付けられ、フィルム、およびこのフィルムに導電インクにて印刷形成されたアンテナパターンを備えたアンテナ本体とを具備し、
前記アンテナパターンは、一対の長辺と一対の短辺とを備えた略矩形枠状をなす枠状部と、この枠状部の長辺同士を互いに連結する連結部とを備え、
前記長辺の長手寸法は、使用電波の波長の１／２、１／４、１／８のうちのいずれかに設定され、
前記長辺の長手寸法を使用電波の波長の１／２としたときには、前記短辺の長さは、使用電波の波長の１／４、１／８、１／１６、１／３２のうちのいずれかに設定され、
前記長辺の長手寸法を使用電波の波長の１／４としたときには、前記短辺の長さは、使用電波の波長の１／８、１／１６、１／３２のうちのいずれかに設定され、
前記長辺の長手寸法を使用電波の波長の１／８としたときには、前記短辺の長さは、使用電波の波長の１／１６、１／３２のうちのいずれかに設定された
ことを特徴とする自動車用アンテナ装置。
【請求項７】
自動車の車体を構成する被取付部材の車室側に取り付けられる樹脂部品と、この樹脂部品の前記被取付部材側に取り付けられ、フィルム、およびこのフィルムに導電インクにて印刷形成されたアンテナパターンを備えたアンテナ本体とを具備し、
前記アンテナパターンは、一対の長辺と一対の短辺とを備えた略矩形枠状をなす枠状部と、この枠状部の長辺同士を互いに連結する連結部とを備え、
前記長辺の長手寸法は、使用電波の波長の１／２、１／４、１／８のうちのいずれかに設定され、
前記長辺の長手寸法を使用電波の波長の１／２としたときには、前記短辺の長さは、使用電波の波長の１／４、１／８、１／１６、１／３２のうちのいずれかに設定され、
前記長辺の長手寸法を使用電波の波長の１／４としたときには、前記短辺の長さは、使用電波の波長の１／８、１／１６、１／３２のうちのいずれかに設定され、
前記長辺の長手寸法を使用電波の波長の１／８としたときには、前記短辺の長さは、使用電波の波長の１／１６、１／３２のうちのいずれかに設定され、
かつ、各長辺および各短辺の長さ寸法は、各設定値の０．８倍から１．２倍の範囲内で調整される
ことを特徴とする自動車用アンテナ装置。
【請求項８】
第１の長辺の一端部から、この第１の長辺の長手寸法の１／２の寸法の０．８倍から１．０倍の範囲内で離間した位置で、かつ、第１の長辺の他端部から、この第１の長辺の長手寸法の１／２の寸法の１．０倍から１．２倍の範囲内で離間した位置に、この第１の長辺が屈曲される屈曲部が設定された
ことを特徴とする請求項７記載の自動車用アンテナ装置。
【請求項９】
第１の長辺の一方の端部からこの第１の長辺の長手寸法の１／２の寸法の１．０倍から１．２倍の範囲内で離間した位置に、この第１の長辺が屈曲される屈曲部が設定され、
第２の長辺の一方の端部からこの第２の長辺の長手寸法の１／２の寸法の０．８倍から１．０倍の範囲内で離間した位置に、この第２の長辺が屈曲される屈曲部が設定された
ことを特徴とする請求項７記載の自動車用アンテナ装置。
【請求項１０】
連結部の端部は、屈曲部に連設された
ことを特徴とする請求項８または９記載の自動車用アンテナ装置。
【請求項１１】
連結部は、各長辺の一端部に連設された短辺に略平行に設けられ、かつ、前記連結部の両端部は、各長辺の一端部から使用電波の波長の１／３０から１／５０の範囲で離間した位置に連設された
ことを特徴とする請求項８または９記載の自動車用アンテナ装置。
【請求項１２】
屈曲部から、第１の長辺の一端側から他端側の外側に向かって突出する第１の延設部が設けられ、
この第１の延設部の、屈曲部より他端側に位置する部分の第１の長辺に沿った方向の寸法は、使用電波の波長の１／１６の寸法の０．８倍から１．２倍の範囲内に設定された
ことを特徴とする請求項１１記載の自動車用アンテナ装置。
【請求項１３】
第１の延設部の先端部と第１の長辺とを連設する、連結部と略平行な第２の延設部が設けられているとともに、
この第２の延設部と前記第１の長辺との接続部分から、他端側の外側に向かって、前記第１の延設部と略平行に突出する第３の延設部が設けられ、
この第３の延設部の長さ寸法は、使用電波の波長の１／８の寸法の０．８倍から１．２倍の範囲内に設定された
ことを特徴とする請求項１２記載の自動車用アンテナ装置。
【手続補正２】
【補正対象書類名】明細書
【補正対象項目名】００２１
【補正方法】変更
【補正の内容】
【００２１】
請求項８記載の自動車用アンテナ装置は、請求項７記載の自動車用アンテナ装置において、第１の長辺の一端部から、この第１の長辺の長手寸法の１／２の寸法の０．８倍から１．０倍の範囲内で離間した位置で、かつ、第１の長辺の他端部から、この第１の長辺の長手寸法の１／２の寸法の１．０倍から１．２倍の範囲内で離間した位置に、この第１の長辺が屈曲される屈曲部が設定されたものである。


【手続補正３】
【補正対象書類名】明細書
【補正対象項目名】００５４
【補正方法】変更
【補正の内容】
【００５４】
また、ピラーガーニッシュのレイアウト上、アンテナ本体22の形状を変更して屈曲させる必要がある場合には、以下の条件を満たした形状とすることにより、所定のアンテナ性能を確保することができる。すなわち、図１７に示すように、第１の長辺31の一端部31b から、この第１の長辺31の長手寸法の１／２の寸法の０．８倍から１．０倍の範囲内で離間した位置に、この第１の長辺31が屈曲される屈曲部Ａを設定するとともに、この屈曲部Ａは、第１の長辺31の他端部31c すなわち一方の端部から、この第１の長辺31の長手寸法の１／２の寸法の１．０倍から１．２倍の範囲内で離間した位置に設定し、さらに、連結部28を、この屈曲部Ａに連設する。そして、この構成により、所定のアンテナ性能が確保されるとともに、中間部分で屈曲した形状の自動車用アンテナ装置を構成でき、種々の形状の車体に対応可能となる。


【手続補正４】
【補正対象書類名】明細書
【補正対象項目名】００５５
【補正方法】変更
【補正の内容】
【００５５】
また、図１７に示すように、第１の長辺31の他端部31c から、この第１の長辺31の長手寸法の１／２の寸法の１．０倍から１．２倍の範囲内で離間した位置に屈曲部Ａを設定するとともに、第２の長辺32の他端部32c から、この第２の長辺32の長手寸法の１／２の寸法の０．８倍から１．０倍の範囲内で離間した位置に、この第２の長辺32が屈曲される屈曲部Ａを設定し、これら屈曲部Ａ間に連結部28を連設する。そして、この構成により、所定のアンテナ性能が確保されるとともに、中間部分で屈曲した形状の自動車用アンテナ装置を構成でき、種々の形状の車体に対応可能となる。


【手続補正５】
【補正対象書類名】図面
【補正対象項目名】図１７
【補正方法】変更
【補正の内容】
【図１７】
1997270617.tif 000001
【手続補正６】
【補正対象書類名】図面
【補正対象項目名】図１８
【補正方法】変更
【補正の内容】
【図１８】
1997270617.tif 000002